(57)【要約】【課題】表面実装型のものにあって、小型化できるコネクタを提供する。【解決手段】基板２０上に配置され、一端側が開口された相手コネクタ嵌合室２を有するコネクタハウジング３と、コネクタハウジング３の相手コネクタ嵌合室２の後面壁３ａに固定される複数の端子１０とを備え、各端子１０は、相手コネクタ嵌合室２に突出する相手端子接触部１１と、基板２０の導体部に接続される基板用接触部１３とをそれぞれ有するコネクタ１Ａにおいて、複数の端子１０の相手端子接触部１１は、基板２０の面方向である横方向ＣＤと基板２０の面方向の直交方向である縦方向ＬＤに互いに間隔を置き、且つ、横方向ＣＤの互いに異なる位置にシフト配置され、各端子１０の相手端子接触部１１と基板用接触部１３間を連結する立設部１２は、コネクタハウジング３の後面壁３ａの位置でインサート成形によって形成された。【選択図】図１
2016225195.tif 000002
【特許請求の範囲】
【請求項１】
基板上に配置され、一端側が開口された相手コネクタ嵌合室を有するコネクタハウジングと、前記コネクタハウジングの前記相手コネクタ嵌合室の後面壁に固定される複数の端子とを備え、前記各端子は、前記相手コネクタ嵌合室に突出する相手端子接触部と、前記基板の導体部に接続される基板用接触部とをそれぞれ有するコネクタにおいて、
複数の前記端子の前記相手端子接触部は、前記基板の面方向である横方向と前記基板の面方向の直交方向である縦方向に互いに間隔を置き、且つ、横方向の互いに異なる位置にシフト配置され、
前記各端子の前記相手端子接触部と前記基板用接触部間を連結する立設部は、前記コネクタハウジングの前記後面壁の位置でインサート成形によって形成されたことを特徴とするコネクタ。
【請求項２】
請求項１記載のコネクタであって、
複数の前記端子の前記基板用接触部は、前記各立設部の一端より前記相手端子接触部側とは反対側に折り返されていることを特徴とするコネクタ。
【請求項３】
請求項１記載のコネクタであって、
複数の前記端子の前記基板用接触部は、前記各立設部の下端より前記相手端子接触部側に折り返され、前記コネクタハウジングの底面壁の下面より露出するよう配置されたことを特徴とするコネクタ。
【発明の詳細な説明】
【技術分野】
【０００１】
本発明は、基板の表面に実装される表面実装型のコネクタに関する。
【背景技術】
【０００２】
この種の従来のコネクタとして、特許文献１に開示されたものが提案されている。このコネクタ５０は、図３に示すように、基板７０上に配置されている。コネクタ５０は、相手コネクタ嵌合室５２を有するコネクタハウジング５３と、コネクタハウジング５３の相手コネクタ嵌合室５２の後面壁５３ａに固定される複数の端子６０とを備えている。
【０００３】
各端子６０は、相手コネクタ嵌合室５２に突出する相手端子接触部６１と、相手端子接触部６１の後端より基板７０側に延びる立設部６２と、立設部６２の下端で、基板７０の面に沿って配置され、基板７０の導体部（図示せず）に接続された基板用接触部６３とを有する。各端子６０は、コネクタハウジング５３に圧入されている。各端子６０は、この圧入力によってコネクタハウジング５３に固定されている。
【０００４】
複数の端子６０の相手端子接触部６１は、基板７０の面方向である横方向ＣＤと基板７０の面方向の直交方向である縦方向ＬＤに互いに間隔を置いて配置され、上下２段配置に構成されている。下段の各端子６０は、その立設部６２がコネクタハウジング５３の後面壁５３ａの外面に沿って配置されている。上段の各端子６０は、その立設部６２がコネクタハウジング５３の後面壁５３ａより離れた後位置に配置されている。このように下段と上段の各立設部６２の位置を離間させて互いの端子６０間が短絡しないようになっている。
【先行技術文献】
【特許文献】
【０００５】
【特許文献１】特開２００５−１１６２３０号公報
【発明の概要】
【発明が解決しようとする課題】
【０００６】
しかしながら、前記従来例のコネクタ５０では、コネクタハウジング５３の後面壁５３ａより上段の端子６０の基板用接触部６３の後端までの長さＬ１が長くなり、コネクタ５０が大型化するという問題があった。
【０００７】
そこで、本発明は、前記した課題を解決すべくなされたものであり、表面実装型のものにあって、小型化できるコネクタを提供することを目的とする。
【課題を解決するための手段】
【０００８】
本発明は、基板上に配置され、一端側が開口された相手コネクタ嵌合室を有するコネクタハウジングと、前記コネクタハウジングの前記相手コネクタ嵌合室の後面壁に固定される複数の端子とを備え、前記各端子は、前記相手コネクタ嵌合室に突出する相手端子接触部と、前記基板の導体部に接続される基板用接触部とをそれぞれ有するコネクタにおいて、複数の前記端子の前記相手端子接触部は、前記基板の面方向である横方向と前記基板の面方向の直交方向である縦方向に互いに間隔を置き、且つ、横方向の互いに異なる位置にシフト配置され、前記各端子の前記相手端子接触部と前記基板用接触部間を連結する立設部は、前記コネクタハウジングの前記後面壁の位置でインサート成形によって形成されたことを特徴とするコネクタである。
【０００９】
複数の前記端子の前記基板用接触部は、前記各立設部の一端より前記相手端子接触部側とは反対側に折り返されるものを含む。複数の端子の基板用接触部１３は、各立設部１２の下端より相手端子接触部１１側に折り返され、コネクタハウジング３の底面壁３ｂの下面より露出するよう配置されたものを含む。
【発明の効果】
【００１０】
本発明によれば、各端子の立設部がコネクタハウジングの後面壁に位置するため、コネクタハウジングの後面壁より基板用接触部の先端までの長さを短くできる。従って、表面実装型のコネクタにあって、小型化できる。
【図面の簡単な説明】
【００１１】
【図１】本発明の第１実施形態を示し、（ａ）はコネクタの正面図、（ｂ）は（ａ）のＡ１−Ａ１線断面図、（ｃ）は（ａ）のＡ２−Ａ２線断面図である。
【図２】本発明の第２実施形態を示し、（ａ）はコネクタの正面図、（ｂ）は（ａ）のＢ１−Ｂ１線断面図、（ｃ）は（ａ）のＢ２−Ｂ２線断面図である。
【図３】従来例を示し、（ａ）はコネクタの正面図、（ｂ）はコネクタの断面図である。
【発明を実施するための形態】
【００１２】
以下、本発明の実施形態を図面に基づいて説明する。
【００１３】
（第１実施形態）
図１は本発明の第１実施形態を示す。コネクタ１Ａは、基板２０上に配置されている。コネクタ１Ａは、一端側が開口された相手コネクタ嵌合室２を有するコネクタハウジング３と、コネクタハウジング３の相手コネクタ嵌合室２の後面壁３ａに固定される複数の端子１０とを備えている。
【００１４】
各端子１０は、相手コネクタ嵌合室２に突出するタブ状の相手端子接触部１１と、相手端子接触部１１の後端より基板２０側に向かって延びる立設部１２と、立設部１２の下端で、基板２０の面に沿って配置され、基板２０の導体部（図示せず）に固定された基板用接触部１３とを有する。立設部１２は、相手端子接触部１１と基板用接触部１３の間を連結している。立設部１２は、その上端から下端までコネクタハウジング３の後面壁３ａの内部位置に配置されている。基板用接触部１３は、立設部１２の下端（一端）より相手端子接触部１１側とは反対側に折り返されている。基板用接触部１３が基板２０の導体部（図示せず）に半田等によって接続されている。
【００１５】
複数の端子１０の相手端子接触部１１は、基板２０の面方向である横方向ＣＤと基板２０の面方向の直交方向である縦方向ＬＤに互いに間隔を置き、且つ、横方向ＣＤの互いに異なる位置にシフト配置されている。複数の端子１０の相手端子接触部１１は、この実施形態では、上下２段であり、下段と上段の端子列が同じ縦方向の位置に配置されている。
【００１６】
複数の端子１０は、コネクタハウジング３にインサート成形によって形成され、複数の端子１０の立設部１２がコネクタハウジング３の後面壁３ａの内部位置で間隔を置いて並列配置されている。
【００１７】
このコネクタ１Ａは、各端子１０の相手端子接触部１１と基板用接触部１３間を連結する立設部１２が、コネクタハウジング３の後面壁３ａの位置でインサート成形によって形成されている。従って、コネクタハウジング３の後面壁３ａより基板用接触部１３の先端までの長さ（Ｌ）を短くできる。以上より、表面実装型のコネクタ１Ａにあって、小型化できる。
【００１８】
このコネクタ１Ａでは、複数の端子１０の相手端子接触部１１は、基板２０の面方向である横方向ＣＤと基板２０の面方向の直交方向である縦方向ＬＤに互いに間隔を置き、且つ、横方向ＣＤの互いに異なる位置にシフト配置されている。従って、相手コネクタ嵌合室２の開口側から見た場合に、全ての端子１０の相手端子接触部１１、又は、立設部１２に横方向ＣＤへの屈曲箇所を形成することなく配列できるため、端子１０の構造の単純化を図ることができる。
【００１９】
（第２実施形態）
図２は本発明の第２実施形態を示す。第２実施形態のコネクタ１Ｂは、前記第１実施形態のものと比較して、各基板用接触部１３の構成のみが相違する。各基板用接触部１３は、立設部１２の下端（一端）より相手端子接触部１１側に折り返されている。各基板用接触部１３は、コネクタハウジング３の底面壁３ｂの下面より露出するよう配置されている。この露出された基板用接触部１３が基板２０の導体部（図示せず）に半田等によって接続されている。
【００２０】
このコネクタ１Ｂでも、前記第１実施形態と同様に、表面実装型のコネクタ１Ａにあって、小型化できる。特に、各基板用接触部１３は、立設部１２の下端（一端）より相手端子接触部１１側に折り返されているので、各基板用接触部１３がコネクタハウジング３の後面壁３ａの外面より後方に突出しないため、第１実施形態の場合よりも更に小型化できる。
【００２１】
第１及び第２実施形態では、複数の端子１０の立設部１２が後面壁３ａ内に完全に埋設されるよう配置されているが、一面が後面壁３ａの外面より露出するよう配置しても良い。
【００２２】
第１及び第２実施形態では、複数の端子１０は、上下２段の配置であるが、３段以上であっても本発明を適用できる。
【符号の説明】
【００２３】
１Ａ，１Ｂ  コネクタ
２  相手コネクタ嵌合室
３  コネクタハウジング
３ａ  後面壁
３ｂ  底面壁
１０  端子
１１  相手端子接触部
１２  立設部
１３  基板用接触部
【図１】
2016225195.tif 000003
【図２】
2016225195.tif 000004
【図３】
2016225195.tif 000005